(57)【特許請求の範囲】
【請求項１】
空気圧縮器と、該空気圧縮器からの圧縮空気を２６０ｍｍＨｇ〜３００ｍｍＨｇの高圧側経路と１２０ｍｍＨｇ〜１８０ｍｍＨｇ低圧側経路に分岐するための分岐器と、前記空気圧縮器から低圧側経路に供給される圧縮空気の圧力を所定の圧力に調整するための圧力調整装置と、
高圧側経路に設けられた第１の色を備え、かつ第１嵌合手段を備える高圧用ポートと、
低圧側経路に設けられた第２の色を備え、かつ第２嵌合手段を備える低圧用ポートとをそれぞれ個別に備える圧縮空気供給装置と；
前記高圧用ポートと該ポートに接続される高圧用接続具を備える高圧用接続装置と、該高圧用接続装置は、高圧用接続を示す第１の色を備え、及び前記高圧用ポートに嵌合する第１嵌合手段と、前記高圧用ポートと正しく嵌合した場合にスイッチがＯＮ動作する第１スイッチ機構とを備え；
前記低圧用ポートと該ポートに接続される低圧用接続具を備える低圧用接続装置と、該低圧用接続装置は、低圧用接続を示す第２の色を備え、及び前記低圧用ポートに嵌合する第２嵌合手段と、前記低圧用ポートと正しく嵌合した場合にスイッチがＯＮ動作する第２スイッチ機構とを備え；
前記高圧用ポート接続具及び前記低圧ポート接続具が正常に嵌合されると前記各スイッチ機構が作動して正常に接続されている状態を表示するための表示装置と；前記高圧用接続装置に導管を通して接続される高圧用空気マッサージ袋体と；前記低圧用接続装置に導管を通して接続される低圧用空気マッサージ袋体と；を供え、前記高圧用空気マッサージ袋体と前記低圧用空気マッサージ袋体とを同時に使用する際に、前記正常に接続されている状態が表示された後、前記高圧用空気マッサージ袋体と低圧用空気マッサージ袋体に空気の供給を接続操作の誤りなく確実に開始させる空気マッサージ装置。
【発明の詳細な説明】
【０００１】
【発明の属する技術分野】
本発明は、使用者にとって安全性に優れた空気マッサージ装置に関する。
【０００２】
【従来の技術】
空気マッサージ装置は、手軽に使用者に快感を与えることから多くの使用者によって使われている。特に、最近１台の空気圧縮機に複数の空気供給ポートを備えた形式の空気マッサージ装置が普及している。この種の空気マッサージ装置において、一方の空気供給ポートは、高圧圧縮空気を使用する布団上に設けられた空気マッサージ袋体に空気を送り、他方の空気供給ポートは、低圧圧縮空気を使用する人体の足や腰、さらには肩等に設けられた空気マッサージ袋体に空気を送る。従って、使用者は、使用状態に応じていずれかの空気供給ポートを選択する必要があるが、誤って空気供給ポートの接続を行うと、本来低圧圧縮空気が供給されなければならない人体の足や腰、さらには肩等の空気マッサージ袋体に高圧の圧縮空気が供給されることになる。かくして、人体の足や腰、さらには肩等に高圧の圧縮空気が供給される結果、人体のそれら患部が必要以上の圧力で圧迫されて人体に思わず害をもたらす。このような取り付けの誤りは、年配者に多い。しかし、従来は、特にこのような操作誤りを防止すような方策はとられていなかった。
【０００３】
【発明が解決しようとする課題】
本発明は、従来の欠点を鑑みてなされたもので、本発明の目的は、高圧用接続装置と低圧用接続装置とを誰でも一目で違いを見分けることができ、かつ異なる接続構造を備えることにより、誤って高圧圧縮空気用ポートに低圧用接続具が差し込まれることを防止でき、よって使用者が圧力の異なる圧縮空気の空気供給ポートを誤って接続することがないようにして接続時の安全性を確保でき、かつ年配者にも安全に使用でき、また一方で低圧用の空気マッサージ袋体を高圧用の空気マッサージ袋体に比べて安価な袋体に構成できると共に低圧用の空気マッサージ袋体の保護に役立つ空気マッサージ装置を提供することにある。
【０００４】
【課題を解決するための手段】
本発明の請求項１に係る空気マッサージ装置は、空気圧縮器と、該空気圧縮器からの圧縮空気を高圧側経路と低圧側経路に分岐するための分岐器と、前記空気圧縮器から低圧側経路に供給される圧縮空気の圧力を所定の圧力に調節するための圧力調節装置と、高圧側経路に設けられた高圧用ポートと、低圧側経路に設けられた低圧ポートとを備える圧縮空気供給装置と；前記高圧用ポートと該ポートに接続される高圧用接続具を備える高圧用接続装置と；前記低圧用ポートと該ポートに接続される低圧用接続具を備える低圧用接続装置と；前記高圧用接続装置と前記低圧用接続装置とを差別化するための差別化手段と；前記高圧用接続具に導管を通して接続される高圧用空気マッサージ袋体と；前記低圧用接続具に導管を通して接続される低圧用空気マッサージ袋体と；を備える。
【０００５】
本発明の請求項２に係る空気マッサージ装置は、前記高圧用ポートの数と前記低圧用ポートの数とが、同じであることを特徴とする。
【０００６】
本発明の請求項３に係る空気マッサージ装置は、前記高圧用接続装置及び又は前記低圧用接続装置がそれぞれ正常に接続されている状態を表示するための表示装置をさらに備えることを特徴とする。
【０００７】
本発明の請求項４に係る空気マッサージ装置は、前記差別化手段が、前記高圧用接続装置と前記低圧用接続装置との外形形状を異にすることを特徴とする。
【０００８】
本発明の請求項５に係る空気マッサージ装置は、前記差別化手段が、前記高圧用接続装置と前記低圧用接続装置との接続構造を異にすることを特徴とする。
【０００９】
本発明の請求項６に係る空気マッサージ装置は、前記差別化手段が、前記高圧用接続装置と前記低圧用接続装置との色を異にすることを特徴とする。
【００１０】
本発明の請求項７に係る空気マッサージ装置は、前記低圧用接続装置に導管を通して接続される低圧用空気マッサージ袋体に供給される圧縮空気の圧力を検出して所定の圧力に調節して該低圧用マッサージ袋体に供給するためのセンサーをさらに備えることを特徴とする。
【００１１】
本発明の請求項８に係る空気マッサージ装置は、前記高圧用空気マッサージ袋体が、圧縮空気を厚肉のポリウレタン製のシートをウエルダー加工して構成される特徴とする。
【００１２】
本発明の請求項９に係る空気マッサージ装置は、前記低圧用空気マッサージ袋体が、圧縮空気を塩化ビニル製又は薄肉のポリウレタン製のシートをウエルダー加工して構成されることを特徴とする。
【００１３】
【発明の実施の形態】
以下、本発明に係る空気マッサー装置の一実施例を図面を参照して詳述する。空気マッサージ装置１０は、圧縮空気供給装置１２と、該圧縮空気供給装置から高圧圧縮空気の供給される高圧圧縮空気用の空気マッサージ袋体１４と、低圧圧縮空気の供給される高圧圧縮空気用の空気マッサージ袋体１６とを備える。
【００１４】
そして、高圧圧縮空気の供給される空気マッサージ袋体１４は、例えば、布団やベッド１８の上に置かれる。一方、低圧圧縮空気の供給される空気マッサージ袋体１６は、例えば、人体の足や腰、さらには肩等に巻装着される。前記高圧用の空気マッサージ袋体は、圧縮空気を厚肉のポリウレタン製のシートをウエルダー加工して構成される。前記低圧用空気マッサージ袋体は、圧縮空気を塩化ビニル製又は薄肉のポリウレタン製のシートをウエルダー加工して構成される。
【００１５】
前記圧縮空気供給装置１２は、圧縮空気を作る空気圧縮器２０と、圧縮空気を高圧側経路２２と低圧側経路２４とに分岐させるための分岐器２６と、高圧圧縮空気を低圧にして低圧側経路に流出させるための圧力調整装置２７と、高圧側経路に設けられた高圧用ポート２８と、低圧側経路に設けられた低圧用ポート３０とを備える。高圧用ポート２８は、高圧用導管３２の高圧用接続具３４に接続される。一方、低圧用ポート３０は、低圧用導管３６の低圧用接続具３８に接続される。前記高圧用ポートの数と前記低圧用ポートの数とは、同じであり、例えばそれぞれ１つである。前記高圧圧縮空気が分岐されて低圧経路に流出した圧縮空気の圧力は、圧力センサー４０で検知され、この検知結果を基に前記圧力調整装置４２が作動して所定の圧力に維持して低圧圧縮空気を低圧用ポートに流出させる。
【００１６】
高圧圧縮空気の供給される空気マッサージ袋体１４及び低圧圧縮空気の供給される空気マッサージ袋体１６は、それぞの袋体に見合う最高圧力値に設定される。すなわち、空気圧縮器で作られる２６０ｍｍＨｇ〜３００ｍｍＨｇの高圧圧縮空気は、分岐器２６で分岐され、その一方は、高圧側経路２２を通って高圧用ポート２８に導かれ、他方は低圧側経路２４に入り圧力調整装置４２によって上限２６０ｍｍＨｇ、一搬に１２０ｍｍＨｇ〜１８０ｍｍＨｇに減圧されて低圧用ポート３０に導かれる。
【００１７】
高圧用ポート２６に嵌装された高圧用接続具３４に高圧用導管３２が接続され、そして該高圧用導管３０は、高圧圧縮空気の供給される空気マッサージ袋体の空気ポート４２に接続される。一方、低圧用ポート３０は、低圧用導管３６の低圧用接続具３８に接続され、そして該低圧用導管３６は、低圧圧縮空気の供給される空気マッサージ袋体の空気ポート４４に接続される。ここで、圧縮空気は、低圧用空気マッサージ袋体の４つに区切られた各部屋に順次導入され、空気マッサージ袋体内の４つの区切られた各部屋を順次膨張させていく。又は空気マッサージ袋体の４つに区切られた各部屋毎にそれぞれ空気ポートを設け、そして各空気ポートへの圧縮空気の供給は、空気マッサージ袋体や低圧用接続具３８に設けられた圧縮空気分配器を介して行うようにしてもよい。
【００１８】
前記圧縮空気用ポートと前記接続具とをもって接続装置が構成される。該接続装置は、高圧用ポートと該ポートに嵌合される高圧用接続具を備える高圧用接続装置５４と、低圧用ポート４６と該ポートに嵌合される低圧用接続具を備える低圧用接続装置４８とから構成される。そして、前記高圧用接続装置と前記低圧用接続装置とを差別化するために差別化手段５０、５２、５４がこれら接続装置に施されている。
【００１９】
前記差別化手段は、図２（ａ）、（ｂ）及び（ｃ）に示されている。図２（ａ）において、前記差別化手段５０は、高圧用接続装置の外形形状と低圧用接続装置の外形形状とを異にする。すなわち、該図において、前記高圧用ポート２８の外形形状は、空気導通孔５６を有する「四角形状」を備え、一方前記低圧用ポート３０の形状は、「丸形状」を備える。高圧用接続具の外形形状は高圧用ポート２６の外形形状と同じである。同様に、低圧用接続具の外形形状は低圧圧縮空気用ポート２６の外形形状と同じである。なお、それぞれのポートの外形は、上記形状に限らずに他の異なる形状を備えてもよい。
【００２０】
図２（ｂ）において、前記差別化手段５２は、高圧用接続装置の接続用ピン５８６の数及び配置と低圧用接続装置の接続用ピン５８の数及び配置とを異にする。すなわち、該図において、前記高圧用ポートの接続用ピン嵌通孔の数及び配置は、１つの孔を上方向に設け、一方前記低圧用ポートの接続用ピン嵌通孔の数及び配置は、３つの孔を三角配置に設ける。そして、前記高圧用接続具の接続用ピン嵌通孔の数及び配置は、１つの接続用ピンを上方向に設ける。一方前記低圧用接続具の接続用ピン嵌通孔の数及び配置は、３つの接続用ピンを三角配置に設ける。なお、それぞれのポートの接続用ピン嵌通孔の数及び配置は、上記接続用ピン嵌通孔の数及び配置に限らずに他の数及び配置を備えてもよい。
【００２１】
図２（ｃ）において、前記差別化手段５４は、高圧用接続装置の色と低圧用接続装置の色とを異にして構成する。すなわち前記高圧用ポート２８は、白色で構成し、前記低圧用ポート３０は、赤色で構成する。前記高圧用ポートに接続される高圧用接続具とは互いに同じ白色で構成し、一方前記低圧用ポートに接続される低圧用接続具とは互いに同じ赤色で構成する。なお、前記高圧用接続装置と前記低圧用接続装置とは、互いに異なる色を備えていればよく、上記色の組み合わせに限定されない。
【００２２】
また、上記図２（ａ）、図２（ｂ）及び図２（ｃ）に示されてそれぞれの差別化手段５０、５２、５４は、個々に別々に備えていてもよいが、上記図２（ａ）と図２（ｃ）との組み合わせ、並びに図２（ｂ）と図２（ｃ）との組み合わせを採用することにより、より確実に接続操作の誤りを防止することが可能になる。すなわち、接続構造の違いと一目で区別できる色等の組み合わせにより接続操作の誤りを確実に防止できる。
【００２３】
圧縮空気供給装置１２に電源が入っているか否かの状態を示すランプ、さらには前記高圧用接続装置５４及び又は前記低圧用接続装置５６がそれぞれ正常に接続され、そして前記高圧用及び又は低圧用空気マッサージ袋体に圧縮空気が供給されている状態を示す高圧動作表示用及び低圧動作表示用ランプが操作盤に設けられている。この場合、前記高圧用接続装置及び前記低圧用接続装置は、それぞれスイッチ機構を備える。そして、各ポートに所定の接続具が、正常に嵌合されるとスイッチ機構が作動して前記高圧動作表示用及び低圧動作表示用ランプが点灯する。さらに、操作盤は、高圧用及び低圧用空気マッサージ袋体の動作スイッチを備える。
【００２４】
使用者は、高圧用及び又は低圧用空気マッサージ袋体の使用を選択する。高圧用空気マッサージ袋体を使用する場合、高圧圧縮空気用ポート２８に高圧用接続具３４を嵌合する。この時、上述した差別化手段５０、５２、５４の施こされている接続装置４６、４８が使用される。例えば、差別化手段として図２（ａ）が使用される場合、高圧圧縮空気用ポート２８の外形形状は、四角形であるので、接続具３４として四角形形状を選択する。かくして、外形形状の高圧用ポート２８に四角形形状の接続具３４が嵌合される。この結果、操作盤上の高圧動作表示用ランプが点灯し、正常な動作確認がなされる。そして、高圧用動作スイッチをＯＮにすると、高圧用空気マッサージ袋体に高圧圧縮空気が導入される。同様に、低圧用空気マッサージ袋体を使用する場合、低圧用ポート３０に差別化手段５０、５２、５４を利用して低圧用接続具３８を嵌合する。さらに、高圧用空気マッサージ袋体及び低圧用空気マッサージ袋体を同時に使用する場合、高圧及び低圧用ポート２８、３０に差別化手段５０、５２、５４を利用して高圧及び低圧用接続具３４、３８をそれぞれ嵌合する。
【００２５】
【発明の効果】
本発明による空気マッサージ装置によれば、使用者が異なる圧縮空気の空気供給ポートを誤って接続することがないようにして年配者にも安全に使用できる。
【００２６】
高圧用接続装置と低圧用接続装置とは、誰でも一目で違いを見分けることができ、異なる接続構造を備えることにより誤って高圧圧縮空気用ポートに低圧用接続具が差し込まれることを防止でき、接続時の安全性が確保される。
しかも
【図面の簡単な説明】
【図１】図１は、本発明に係る一実施例の空気マッサージ装置を示す概略図である。
【図２（ａ）】図２（ａ）は、本発明に係る一実施例の空気マッサージ装置で使用される差別化手段を示す概略図である。
【図２（ｂ）】図２（ｂ）は、本発明に係る一実施例の空気マッサージ装置で使用される他の差別化手段を示す概略図である。
【図２（ｃ）】図２（ｃ）は、本発明に係る一実施例の空気マッサージ装置で使用されるさらに他の差別化手段を示す概略図である。
【符号の説明】
１０：空気マッサージ装置
１２：圧縮空気供給装置
１４；高圧用空気マッサージ袋体
１６：低圧用空気マッサージ袋体
２０：空気圧縮器
２２：高圧側経路
２４；低圧側経路
２６：分配器
２７：圧力調整装置
２８：高圧用ポート
３０：低圧用ポート
３２：高圧用導管
３４：高圧用接続具
３６：低圧用導管
３８：低圧用接続具
４０：圧力センサー
４２；高圧用空気マッサージ袋体の空気ポート
４４；低圧用空気マッサージ袋体の空気ポート
４６；高圧用接続装置
４８；低圧用接続装置
５０、５２、５４：差別化手段
５６；空気導通孔
５８：接続用ピン嵌合孔
【図１】
0003896536.tif 000002
【図２（ａ）】
0003896536.tif 000003
【図２（ｂ）】
0003896536.tif 000004
【図２（ｃ）】
0003896536.tif 000005